(57)【要約】【課題】  待受できるオフィスのＰＢＸを迅速に見つけることを可能にするＰＨＳ端末の制御チャネルサーチ方法を提供する。【解決手段】  ＰＢＸ１１を含む複数の構内交換機の制御チャネルをＰＨＳ端末２１がサーチするＰＨＳ端末の制御チャネルサーチ方法において、ＰＨＳ端末２１に登録されている各制御チャネルの登録情報をこのＰＨＳ端末２１が調べ、登録情報に登録されている各制御チャネルの登録数を基にして、ＰＨＳ端末２１が各制御チャネルをサーチする。【選択図】  図１
2020072420.tif 000002
【特許請求の範囲】
【請求項１】
複数の構内交換機の制御チャネルをＰＨＳ端末がサーチするＰＨＳ端末の制御チャネルサーチ方法において、
前記ＰＨＳ端末に登録されている各制御チャネルの登録情報をこのＰＨＳ端末が調べ、
前記登録情報に登録されている前記各制御チャネルの登録数を基にして、前記ＰＨＳ端末が前記各制御チャネルをサーチする、
ことを特徴とするＰＨＳ端末の制御チャネルサーチ方法。
【発明の詳細な説明】
【技術分野】
【０００１】
この発明は、ＰＢＸ（Ｐｒｉｖａｔｅ  Ｂｒａｎｃｈ  Ｅｘｃｈａｎｇｅｒ）のＰＨＳ（Ｐｅｒｓｏｎａｌ  Ｈａｎｄｙ  ｐｈｏｎｅ  Ｓｙｓｔｅｍ）端末による通信のためのＰＨＳ端末の制御チャネルサーチ方法に関する。
【背景技術】
【０００２】
事業所などでは、構内交換機つまりＰＢＸによりＰＨＳ端末の通信を行っている場合がある。このために、事業所などのオフィス内にＢＳ（Ｂａｓｅ  Ｓｔａｔｉｏｎ：基地局）が設置され、このＢＳを経てオフィス（ＰＢＸ）でＰＨＳ端末を利用した通話等が無線で行われている（例えば、特許文献１参照。）。
【０００３】
現在、ＰＢＸの制御チャネルは１２ＣＨと１８ＣＨの２チャネルとなっている。ＰＢＸの制御チャネルは、オフィス（ＰＢＸ）のＢＳとＰＨＳ端末との間を接続して、制御信号の伝送に用いられている。ＰＢＸはＰＨＳ端末のＳＯ（Ｓｅｒｖｉｃｅ  Ｏｒｄｅｒ）情報に１０面登録できるが、制御チャネルが２チャネル（１２、１８ＣＨ）であるのに対して、ＳＯ情報に登録される制御チャネルは２つである。ＳＯ情報は、ＢＳのシステム呼出符号、制御チャネル（２チャネル分）、ローミング情報などの加入者データから成っている。したがって、基本的には、ＳＯ情報の各面（例えば、１面がＡ本社、２面がＢ支社、３面がＣ支社）に登録される制御チャネルは１２ＣＨと１８ＣＨとなる。しかし、ＰＢＸの制御チャネルは、現状の２チャネル（１２ＣＨ、１８ＣＨ）から１２ＣＨ、１８ＣＨ、３５ＣＨ、３７ＣＨの４チャネルに増加される。
【０００４】
一方、ＰＨＳ端末には、オフィス番号切替（自動切換／手動切替）などのようなオートサーチ（ＯＮ／ＯＦＦ）の機能があり、機能のＯＮ／ＯＦＦの設定が可能である。このオートサーチの切替により以下のような動作を行う。オートサーチのＯＮ設定時には、登録された全てのＳＯ情報からＢＳをサーチして、待受できるＰＢＸを見つける（自動的にオフィス番号を切り替える）。これにより、例えばＡ本社からＢ支社にＰＨＳ端末が移動された場合に、ＰＨＳ端末はＢ支社のＰＢＸのＢＳをサーチする。
【０００５】
また、オートサーチのＯＦＦ設定時には、ＰＨＳ端末に対する操作により、接続したい（待受したい）ＰＢＸのＢＳを選択する。
【先行技術文献】
【特許文献】
【０００６】
【特許文献１】特開平１０−３２２７６２号公報
【発明の概要】
【発明が解決しようとする課題】
【０００７】
先に説明したオートサーチを利用した待受には次の課題がある。現行のＰＨＳ端末は、オートサーチをする際、ＳＯ情報に登録されているＰＢＸの１面目に登録されている制御チャネルからサーチしている。しかし、制御チャネルが現行の２ＣＨ（１２、１８ＣＨ）から４ＣＨ（１２ＣＨ、１８ＣＨ、３５ＣＨ、３７ＣＨ）に増えると、ＰＨＳ端末のＳＯ情報に登録される制御チャネルも増加する。
【０００８】
例えば、ＳＯ情報で制御チャネルが、
１面（１２ＣＨ、１８ＣＨ）
２面（３５ＣＨ、３７ＣＨ）
３面（３５ＣＨ、３７ＣＨ）
４面（３５ＣＨ、３７ＣＨ）
５面（３５ＣＨ、３７ＣＨ）
のように登録されている。このときにＰＨＳ端末がオートサーチをする際には、１面である１２ＣＨからサーチを行うことになる。この結果、登録された全てのＳＯ情報をサーチすると、待受できるＰＢＸを迅速に見つけることができない。
【０００９】
この発明の目的は、前記の課題を解決し、待受できるオフィスのＰＢＸを迅速に見つけることを可能にするＰＨＳ端末の制御チャネルサーチ方法を提供することにある。
【課題を解決するための手段】
【００１０】
前記の課題を解決するために、請求項１の発明は、複数の構内交換機の制御チャネルをＰＨＳ端末がサーチするＰＨＳ端末の制御チャネルサーチ方法において、前記ＰＨＳ端末に登録されている各制御チャネルの登録情報をこのＰＨＳ端末が調べ、前記登録情報に登録されている前記各制御チャネルの登録数を基にして、前記ＰＨＳ端末が前記各制御チャネルをサーチする、ことを特徴とするＰＨＳ端末の制御チャネルサーチ方法である。
【発明の効果】
【００１１】
請求項１の発明によれば、制御チャネルの登録情報から制御チャネルの登録数を基に制御チャネルをサーチすることで、迅速な待受を可能にすることができる。
【図面の簡単な説明】
【００１２】
【図１】この発明の一実施の形態によるＰＨＳ端末の制御チャネルサーチ方法が適用されているＰＨＳ通信システムの構成図である。
【図２】オートサーチＯＮ時の制御チャネル算出処理の一例を示すフローチャートである。
【図３】ＳＯ情報の登録の状態を示す図である。
【図４】制御チャネル算出処理を説明するための説明図である。
【図５】サーチ順テーブルの一例を示す図である。
【図６】ＰＨＳ端末の環境イメージを示す図である。
【図７】制御チャネル算出処理を説明するための説明図である。
【図８】サーチ順テーブルの一例を示す図である。
【図９】ＰＨＳ端末の環境イメージを示す図である。
【図１０】制御チャネル算出処理を説明するための説明図である。
【図１１】サーチ順テーブルの一例を示す図である。
【図１２】サーチ対象の選択を説明する図である。
【図１３】サーチ対象の選択を説明する図である。
【発明を実施するための形態】
【００１３】
次に、この発明の実施の形態について、図面を用いて詳しく説明する。図１は、この実施の形態によるＰＨＳ端末の制御チャネルサーチ方法が適用されているＰＨＳ通信システムの構成を示す図である。このＰＨＳ通信システムは、ＰＢＸ（構内交換機）１１と、ＢＳ（基地局）１２ａ〜１２ｃと、ＰＨＳ（Ｐｅｒｓｏｎａｌ  Ｈａｎｄｙ  ｐｈｏｎｅ  Ｓｙｓｔｅｍ）端末２１とで構成されている。ＰＢＸ（構内交換機）１１とＢＳ（基地局）１２ａ〜１２ｃとは、例えばＡ本社に設置されている。なお、ＢＳ１２ａ〜１２ｃは代表的な例であり、設置数などは図１に限定されることはない。
【００１４】
ＰＢＸ１１は、事業所などに設置されている電話交換機である。ＰＢＸ１１は、ＰＨＳ端末間の通話、例えばこの実施の形態では、ＰＨＳ端末２１と他のＰＨＳ端末との通話を可能にする機能などの各種の機能を持つ。
【００１５】
ＢＳ１２ａ〜１２ｃは、Ａ本社のオフィスに設置されている無線通信装置である。ＢＳ１２ａ〜１２ｃは、無線によりＰＨＳ端末２１をＰＢＸ１１に接続する。ＢＳ１２ａ〜１２ｃは、ＰＨＳ端末２１との間の制御チャネルにより、通話の開始や終了などに関する信号を伝送する。制御チャネルは、１２ＣＨ、１８ＣＨ、３５ＣＨ、３７ＣＨの４チャネルであり、従来の１２ＣＨと１８ＣＨとに比べて、３５ＣＨと３７ＣＨの２ＣＨが増加されている。
【００１６】
ＰＨＳ端末２１は、事業所の従業者に所持されて使用される携帯端末である。ＰＨＳ端末２１は、オフィス番号切替（自動切換／手動切替）などのようなオートサーチ（ＯＮ／ＯＦＦ）機能を持つ。オートサーチのＯＮ設定時には、登録された全てのＳＯ情報からＢＳをサーチして、待受できるＰＢＸを見つける。つまり、ＰＨＳ端末２１は自動的にオフィス番号を切り替える。これにより、例えば東京オフィスから大阪オフィスにＰＨＳ端末２１が携帯されて移動された場合に、大阪オフィスのＰＢＸのＢＳがサーチされる。
【００１７】
また、ＰＨＳ端末２１は、ローミングの機能を持ち、受信する信号の強度などに応じてＢＳに接続する。
【００１８】
さらに、この実施の形態では、ＰＨＳ端末２１は、オートサーチＯＮ時の制御チャネル算出処理として例えば図２に示す処理を行う。以下では制御チャネル算出処理の説明により、ＰＨＳ端末の制御チャネルサーチ方法について併せて説明する。
【００１９】
ＰＨＳ端末２１は、制御チャネル算出処理を開始すると、あらかじめ保存しているＳＯ情報を参照して、サーチ対象を決定する（ステップＳ１）。例えば、図３に示すように、加入者データとして８件つまり８面をＳＯ情報に登録した状態がある。以下ではこの図３に示す状態を基に説明している。図３において「オフィスＳＯ登録状態」では、
「〇」印：該当面の登録されている制御チャネル。
「◇」印：ローミング情報登録。
「−」印：未登録。
を示している。
【００２０】
こうしたＳＯ情報の登録状態では、例えば加入者データの１面はＡ本社のＰＢＸでの制御チャネルが１２ＣＨと１８ＣＨであることを示し、また、加入者データの５面はＥ支社のＰＢＸでの制御チャネルが１２ＣＨと３５ＣＨであることを示している。
図３において、「各チャネルでのサーチ対象」では、
「◎」印：ホームをサーチ。
「▲」印：ローミングをサーチ。
「×」：サーチ不要。
を示している。ローミングのサーチでは、ＰＨＳ端末２１はローミング先の制御チャネルが分からないため、４チャネルをサーチする。
【００２１】
このようなＳＯ情報の登録状態を基に、ＰＨＳ端末２１はステップＳ１でサーチ対象を決定する。つまり、ＰＨＳ端末２１は、「各チャネルでのサーチ対象」に登録されている制御チャネルを基に、サーチ必要有無が「必要」となるチャネルを確認する。図３の場合、１２ＣＨ、１８ＣＨ、３５ＣＨ、３７ＣＨがサーチとして必要（対象）とする。以下の判定処理を行うにあたり、「必要」となるチャネルのみを対象として、以降の処理を行う。
【００２２】
ステップＳ１が終了すると、ＰＨＳ端末２１は最初にサーチする制御チャネルを決定する（ステップＳ２）。ステップＳ２では、ＰＨＳ端末２１は、ＳＯ情報の登録状態（図３）から◎印のみの数と、◎印と▲印との数をそれぞれカウントする。つまり、ＰＨＳ端末２１は、図４に示すように、「◎のみの数」の「５」と「◎と▲との数」の「８」を基に算出している。
【００２３】
この後、ＰＨＳ端末２１は、ステップＳ２で、
（ａ）「◎のみの数」が最も多いチャネルを確認する。
【００２４】
最も多いチャネルが１チャネルの場合、最優先チャネルとしてサーチ順テーブルに登録する。このサーチ順テーブルの一例を図５に示す。このサーチ順テーブルは、図４により１２ＣＨを登録した場合を示している。例えば、サーチ順テーブルの「対象制御周波数＝１２」は対象制御周波数による制御チャネルが１２ＣＨであることを示している。こうしたサーチ順テーブルへの登録が終了すると、ＰＨＳ端末２１は次のステップに処理を進める。
【００２５】
一方、「◎のみの数」で同じチャネルが複数ある場合、ＰＨＳ端末２１は、
（ｂ）同数チャネルのうち「◎と▲の数」が最も多いチャネルを確認する。
【００２６】
最も多いチャネルが１チャネルの場合、ＰＨＳ端末２１は、最優先チャネルとしてサーチ順テーブルに登録する。この後、ＰＨＳ端末２１は次のステップに処理を進める。
【００２７】
「◎と▲の数」でチャネルが同数の場合は、
（ｃ）同数チャネルのうち、
１２ＣＨ＞１８ＣＨ＞３５ＣＨ＞３７ＣＨ
の優先順で、優先が最も高いチャネルを最優先チャネルとしてサーチ順テーブルに登録する。
【００２８】
このように優先順でチャネルの登録をすることにより、例えば図６に示すように、ＰＨＳ端末２１の環境１０１は１２ＣＨのサーチ時にＢＳを検出する可能性が一番高い部分である。端末の環境１０２〜１０４は、１８ＣＨのサーチ時、３５ＣＨのサーチ時、３７ＣＨのサーチ時にＢＳを検出する可能性がある部分である。このように、優先順でチャネルを登録した後、ＰＨＳ端末２１は次のステップに処理を進める。
【００２９】
ステップＳ２が終了すると、ＰＨＳ端末２１は２番目にサーチする制御チャネルを決定する（ステップＳ３）。ステップＳ３では図７に示すように、「各チャネルでのサーチ対象」でＰＨＳ端末２１はステップＳ２で決定したチャネルと、そのチャネルと組となっている制御チャネルを除く。
【００３０】
この後、ＰＨＳ端末２１は、ステップＳ３で、
（ａ）「◎のみの数」が最も多いチャネルを確認する。
【００３１】
最も多いチャネルが１チャネルの場合、ＰＨＳ端末２１は、優先チャネル（２番目）として図８に示すようにサーチ順テーブルに登録する。サーチ順テーブルへの登録が終了すると、ＰＨＳ端末２１は次のステップに処理を進める。
【００３２】
「◎のみの数」で同じチャネルが複数ある場合は、ＰＨＳ端末２１は、
（ｂ）同数チャネルのうち「◎と▲の数」が最も多いチャネルを確認する。
【００３３】
最も多いチャネルが１チャネルの場合、優先チャネル（２番目）としてサーチ順テーブルに登録する。図７の場合、ＰＨＳ端末２１は３７ＣＨを登録する。この後、ＰＨＳ端末２１は次のステップに処理を進める。
【００３４】
「◎と▲の数」の項目でチャネルが同数の場合は、
（ｃ）同数チャネルのうち、最優先チャネルが１２ＣＨまたは１８ＣＨの場合、３５ＣＨ＞３７ＣＨ＞１２ＣＨ＞１８ＣＨ
とした優先順で、また、最優先チャネルが３５ＣＨまたは３７ＣＨの場合、
１２ＣＨ＞１８ＣＨ＞３５ＣＨ＞３７ＣＨ
とした優先順で最も高いチャネルを、優先チャネル（２番目）としてサーチ順テーブルに登録する。
【００３５】
このように登録することにより、例えば図９に示すように、ＰＨＳ端末２１の環境１１１において１２ＣＨをサーチしてもＢＳが見つからないということはＢＳが近くに無いということになる。次は環境１１２をサーチすることによりＢＳを検出する可能性があるということになる。こうした登録が終了すると、ＰＨＳ端末２１は処理を終了する。
【００３６】
ステップＳ３が終了すると、ＰＨＳ端末２１は３、４番目にサーチする制御チャネルを決定する（ステップＳ４）。ステップＳ４では図１０に示すように、ＰＨＳ端末２１は、ステップＳ２、Ｓ３で決定したチャネルを除く、残りのチャネル２つについて確認する。
【００３７】
ＰＨＳ端末２１は、
（ａ）「◎のみの数」で、どちらのチャネルが多いか確認する。
【００３８】
「◎のみの数」が異なる場合は、ＰＨＳ端末２１は、図１１に示すように、多い方のチャネルを優先チャネル（３番目）として、残りのチャネルを優先チャネル（４番目）としてサーチ順テーブルに登録する。サーチ順テーブルへの登録が終了すると、ＰＨＳ端末２１は処理を終了する。
【００３９】
「◎のみの数」が同数の場合は、ＰＨＳ端末２１は、
（ｂ）「◎と▲の数」が最も多いチャネルを確認する。
【００４０】
「◎と▲の数」が異なる場合は、多い方のチャネルを優先チャネル（３番目）として、残りのチャネルを優先チャネル（４番目）としてサーチ順テーブルに登録する。サーチ順テーブルへの登録が終了すると、ＰＨＳ端末２１は処理を終了する。
【００４１】
「◎と▲の数」が同数の場合は、ＰＨＳ端末２１は、
（ｃ）同数の場合、優先チャネル（２番目）が１２ＣＨまたは１８ＣＨのとき、３５ＣＨ＞３７ＣＨ＞１２ＣＨ＞１８ＣＨ
とした優先順で、優先チャネル（２番目）が３５ＣＨまたは３７ＣＨのとき、
１２ＣＨ＞１８ＣＨ＞３５ＣＨ＞３７ＣＨ
とした優先順で最も高いチャネルを、優先チャネル（３番目）としてサーチ順テーブルに登録する。残りのチャネルを優先チャネル（４番目）としてサーチ順テーブルに登録する。
【００４２】
図１０の場合、３番目に１８ＣＨ、４番目に３５ＣＨを登録する。登録が終了すると、ＰＨＳ端末２１は処理を終了する。
【００４３】
このように、ＰＨＳ端末２１は、ＰＨＳ端末の制御チャネルサーチ方法による制御チャネル算出処理を行う。
【００４４】
なお、先に説明したステップＳ１では４チャネルがサーチ対象であった。しかし、ステップＳ１でのサーチ必要の有無の確認として、例えば図１２に示すように、２チャネルがサーチ対象となる場合がある。また、例えば図１３に示すように、３チャネルがサーチ対象となる場合がある。これらの場合でも、ＰＨＳ端末２１は制御チャネル算出処理を行う。
【００４５】
こうして、この実施の形態によれば、オートサーチ機能がＯＮに設定されている場合、どの制御チャネルからサーチをすれば良いのかを判断する処理として、ＳＯ情報に登録されている全ての制御チャネルの情報から、多数決によってサーチする順番を決定する。これにより、登録数が多い制御チャネルからサーチすることで、早く待受する可能性が高くなる、つまり、待受できるＰＢＸを迅速に見つけることを可能にする。
【符号の説明】
【００４６】
１１  ＰＢＸ
１２ａ〜１２ｃ  ＢＳ
２１  ＰＨＳ端末
【図１】
2020072420.tif 000003
【図２】
2020072420.tif 000004
【図３】
2020072420.tif 000005
【図４】
2020072420.tif 000006
【図５】
2020072420.tif 000007
【図６】
2020072420.tif 000008
【図７】
2020072420.tif 000009
【図８】
2020072420.tif 000010
【図９】
2020072420.tif 000011
【図１０】
2020072420.tif 000012
【図１１】
2020072420.tif 000013
【図１２】
2020072420.tif 000014
【図１３】
2020072420.tif 000015